【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
デュアルリンクユーザー装置（UE）のマスター基地局がハンドオーバする際に、ターゲット基地局は前記UEがセカンダリ基地局との間の接続及び設定を保持することを確定することと、
前記ターゲット基地局は、前記UEが前記セカンダリ基地局との間の接続及び設定を保持すると同時に、前記UEと接続を確立することとを含むユーザー装置の基地局ハンドオーバ方法。
【請求項２】
前記ターゲット基地局は前記UEがセカンダリ基地局との間の接続及び設定を保持することを確定することは、
前記ターゲット基地局は、前記マスター基地局が送信したハンドオーバ要求及び前記UEのセカンダリ基地局情報を受信し、前記UEのセカンダリ基地局情報に基づき、基地局を切り替えた後にUEがセカンダリ基地局との接続及び設定を保持するか否かを判断し、判断結果がはいであると、前記UEがセカンダリ基地局との間の接続及び設定を保持することを確定することを含み、
好ましくは、前記ターゲット基地局が前記マスター基地局の送信したハンドオーバ要求及び前記UEのセカンダリ基地局情報を受信することは、
前記ターゲット基地局は前記マスター基地局が送信したハンドオーバ要求メッセージを受信し、該ハンドオーバ要求メッセージにUEのセカンダリ基地局情報が含まれることを含む請求項1に記載の方法。
【請求項３】
前記ターゲット基地局は基地局を切り替えた後にUEがセカンダリ基地局との接続及び設定を保持することを確定すると、まず前記セカンダリ基地局とインターフェイス接続を確立し、それから前記マスター基地局にハンドオーバ要求確認、及びUEがセカンダリ基地局との接続及び設定を保留することを許可する指示情報をフィードバックすることを更に含み、
前記ターゲット基地局は前記マスター基地局にハンドオーバ要求確認、及びUEがセカンダリ基地局との接続及び設定を保留することを許可する指示情報をフィードバックすることは、
前記ターゲット基地局は前記マスター基地局にハンドオーバ要求確認メッセージをフィードバックし、該ハンドオーバ要求確認メッセージには、UEがセカンダリ基地局との接続及び設定を保留することを許可する指示情報を含むことを含む請求項2に記載の方法。
【請求項４】
前記ターゲット基地局は前記UEと接続を確立し、前記UEがターゲットセルにアクセスして新しい設定を使用し始めた後に、UEに対してユーザプレーンのデータスケジューリングを行うことを更に含み、前記ターゲット基地局がUEに対してユーザプレーンのデータスケジューリングを行うことは、前記ターゲット基地局は自体とUEとの間のUuポートを介してデータを送信し、及び前記ターゲット基地局は一部のパケットデータコンバージェンスプロトコル（PDCP）データユニット（PDU）を前記セカンダリ基地局によって前記UEに送信することを含む請求項3に記載の方法。
【請求項５】
前記マスター基地局は前記ターゲット基地局が送信した、UEがセカンダリ基地局との接続及び設定を保留することを許可する指示情報を受信した後に、前記UEがセカンダリ基地局との間の接続及び設定を保持することを許可する指示に従って、元の設定した分散ベアラーのデータパケットを前記セカンダリ基地局に伝達し続けることと、
前記マスター基地局は元の設定した分散ベアラーのデータパケットを前記セカンダリ基地局に伝達し続ける際に、前記ターゲット基地局にデータパケットを送信し、或いは、前記マスター基地局は元の設定した分散ベアラーのデータパケットを前記セカンダリ基地局に伝達し続け、UEが新しい設定を使用し始めた情報を受信してから、前記セカンダリ基地局にデータパケットを送信することを止め、且つ前記ターゲット基地局にデータパケットを送信し始めることとを更に含む請求項3に記載の方法。
【請求項６】
前記セカンダリ基地局は前記マスター基地局から元の設定した分散ベアラーのデータパケットを受信し、再び前記ターゲット基地局から新しく設定した分散ベアラーのデータパケットを受信することと、
前記セカンダリ基地局は受信したデータパケットを順序にUEに送信し、前記セカンダリ基地局は前記ターゲット基地局が送信した新しく設定した分散ベアラーのデータパケットを受信し、且つキャッシュ領域において送信し終わっていないデータパケットがある際に、前記セカンダリ基地局はキャッシュ領域におけるデータパケットを捨てることとを更に含む請求項5に記載の方法。
【請求項７】
デュアルリンクユーザー装置（UE）のマスター基地局がハンドオーバする際に、前記UEはセカンダリ基地局との間の接続及び設定を保持し、同時にターゲット基地局と接続を確立することを含むユーザー装置の基地局ハンドオーバ方法。
【請求項８】
前記UEがセカンダリ基地局との間の接続及び設定を保持し、同時にターゲット基地局と接続を確立することは、
前記UEは前記マスター基地局が送信した無線リソース制御（RRC）接続再構成、及びセカンダリ基地局との間の接続及び設定を保持する指示を受信し、好ましくは、前記RRC接続再構成メッセージにセカンダリ基地局との間の接続及び設定を保持する指示が含まれることと、
前記UEは該RRC接続再構成に基づき、ソースマスターセルから離れ、ターゲットセルにアクセスし、同時にセカンダリ基地局との間の接続及び設定を保持する指示に基づき、セカンダリ基地局との間の接続及び設定を保持することとを含み、
当該方法は、前記UEはターゲットセルにアクセスした後に、前記マスター基地局及び/又はセカンダリ基地局に新しい設定を使用し始めた情報をフィードバックすることを更に含む請求項7に記載の方法。
【請求項９】
デュアルリンクユーザー装置（UE）のマスター基地局は該基地局にハンドオーバする際に、UEがセカンダリ基地局との間の接続及び設定を保持することを確定するように設定される第1ユニット、及び
前記UEがセカンダリ基地局との間の接続及び設定を保持すると同時に、前記UEと接続を確立するように設定される第2ユニットを備える基地局装置。
【請求項１０】
前記第1ユニットは、
前記マスター基地局が送信したハンドオーバ要求及び前記UEのセカンダリ基地局情報を受信するように設定される受信モジュール、及び
前記UEのセカンダリ基地局情報に基づき、基地局を切り替えた後にUEがセカンダリ基地局との接続及び設定を保持するか否かを判断し、判断結果がはいであると、デュアルリンクUEのマスター基地局が該基地局にハンドオーバする際に、UEがセカンダリ基地局との間の接続及び設定を保持することを確定するように設定される判断モジュールを備え、
好ましくは、前記受信モジュールが前記マスター基地局の送信したハンドオーバ要求及び前記UEのセカンダリ基地局情報を受信することは、
前記マスター基地局が送信したハンドオーバ要求メッセージを受信し、該ハンドオーバ要求メッセージにUEのセカンダリ基地局情報が含まれることを含む請求項9に記載の装置。
【請求項１１】
前記第1ユニットは、
前記判断モジュールはUEがセカンダリ基地局との間の接続及び設定を保持することを確定する際に、まず前記セカンダリ基地局とインターフェイス接続を確立し、それから前記マスター基地局にハンドオーバ要求確認、及びUEがセカンダリ基地局との接続及び設定を保留することを許可する指示情報をフィードバックするように設定される基地局間リンク確立モジュールを更に備え、
前記基地局間リンク確立モジュールは前記マスター基地局にハンドオーバ要求確認、及びUEがセカンダリ基地局との接続及び設定を保留することを許可する指示情報をフィードバックすることは、
前記マスター基地局にハンドオーバ要求確認メッセージをフィードバックし、該ハンドオーバ要求確認メッセージは、UEがセカンダリ基地局との接続及び設定を保留することを許可する指示情報を含むことを含む請求項10に記載の装置。
【請求項１２】
前記第2ユニットは更に、前記UEと接続を確立し、前記UEがターゲットセルにアクセスして新しい設定を使用し始めた後に、前記UEに対してユーザプレーンのデータスケジューリングを行うように設定され、前記第2ユニットがUEに対してユーザプレーンのデータスケジューリングを行うことは、該装置とUEとの間のUuポートを介してデータを送信し、及び一部のパケットデータコンバージェンスプロトコル（PDCP）データユニット（PDU）を前記セカンダリ基地局によって前記UEに送信することを含む請求項11に記載の装置。
【請求項１３】
該装置がデュアルリンクUEのマスター基地局であってターゲット基地局にハンドオーバする際に、前記ターゲット基地局が送信した、UEがセカンダリ基地局との接続及び設定を保留することを許可する指示情報を受信し、且つ前記UEがセカンダリ基地局との間の接続及び設定を保持することを許可する指示に従って、元の設定した分散ベアラーのデータパケットを前記セカンダリ基地局に伝達し続けるように設定される第3ユニットと、
該装置がデュアルリンクUEのセカンダリ基地局である際に、前記マスター基地局から元の設定した分散ベアラーのデータパケットを受信し、再び前記ターゲット基地局から新しく設定した分散ベアラーのデータパケットを受信し、且つ受信したデータパケットを順序にUEに送信し、前記ターゲット基地局が送信した新しく設定した分散ベアラーのデータパケットを受信した際に、キャッシュ領域において送信し終わっていないデータパケットがあると、キャッシュ領域におけるデータパケットを捨てるように設定される第4ユニットとを更に備え、
前記第3ユニットは更に、元の設定した分散ベアラーのデータパケットを前記セカンダリ基地局に伝達し続ける際に、更に前記ターゲット基地局にデータパケットを送信し、或いは元の設定した分散ベアラーのデータパケットを前記セカンダリ基地局に伝達し続け、UEが新しい設定を使用し始めた情報を受信してから、まず前記セカンダリ基地局にデータパケットを送信することを止め、それから前記ターゲット基地局にデータパケットを送信するように設定される請求項11に記載の装置。
【請求項１４】
該装置のマスター基地局がハンドオーバする際に、デュアルリンクにおけるセカンダリ基地局との間の接続及び設定を保持するように設定される第1ユニット、及び
前記第1ユニットがセカンダリ基地局との間の接続及び設定を保持すると同時に、ハンドオーバ先のターゲット基地局と接続を確立するように設定される第2ユニットを備えるユーザー装置。
【請求項１５】
前記マスター基地局が送信した無線リソース制御（RRC）接続再構成、及びセカンダリ基地局との間の接続及び設定を保持する指示を受信するように設定される送受信ユニットを更に備え、好ましくは、前記RRC接続再構成メッセージにセカンダリ基地局との間の接続及び設定を保持する指示が含まれ、
前記第1ユニットは、該装置のマスター基地局がハンドオーバする際に、前記セカンダリ基地局との間の接続及び設定を保持する指示に従って、デュアルリンクにおけるセカンダリ基地局との間の接続及び設定を保持するように設定され、
前記第2ユニットは、前記第1ユニットがセカンダリ基地局との間の接続及び設定を保持すると同時に、前記RRC接続再構成に従ってソースセルから離れ、ターゲットセルにアクセスするように設定され、
好ましくは、前記送受信ユニットは更に、該装置がターゲットセルにアクセスした後に、前記マスター基地局及び/又はセカンダリ基地局に新しい設定を使用し始めた情報をフィードバックするように設定される請求項14に記載の装置。